(57)【要約】【課題】着脱性と保持力を確保することのできる自動販売機の商品見本展示装置を提供する。【解決手段】保持対象である商品見本１０はハーフタイプであり、後面が開口し下端の装着部１２は底板部１３によって覆われている。ディスプレイ台７は、略水平に配置される支持プレート１５と、支持プレート１５に設けられて商品見本１０の装着部１２が挿入される装着孔１４と、装着孔１４の平面視範囲内で前方に向かって突出し、底板部１３における上面に弾性的に当接する上係止片２５および下面に弾性的に当接する下係止片２６とを有する。上係止片２５の上先端部２５ｂは斜め上方を指向し、下係止片２６の下先端部２６ｂは斜め下方を指向する。上係止片２５または下係止片２６の少なくとも一方は複数設けられて、他方の少なくとも１つを挟む位置に設けられている。【選択図】図８
2020024616.tif 000002
【特許請求の範囲】
【請求項１】
後面下方部が開口し下端が底板部によって覆われた商品見本を保持対象とするディスプレイ台を備えた自動販売機の商品見本展示装置において、
前記ディスプレイ台は、
略水平に配置される支持プレートと、
前記支持プレートに設けられて前記底板部が配置される装着孔と、
前記装着孔の平面視範囲内で前方に向かってそれぞれ突出し、前記底板部における上面に当接する上係止片および下面に当接する下係止片と、
を有し、
前記上係止片と前記下係止片は、前記底板部を挟む位置に設けられており、それぞれ弾性を有することを特徴とする自動販売機の商品見本展示装置。
【請求項２】
請求項１に記載の自動販売機の商品見本展示装置において、
前記装着孔には、前記底板部を含む前記商品見本の下方挿入部が挿入されることを特徴とする自動販売機の商品見本展示装置。
【請求項３】
請求項２に記載の自動販売機の商品見本展示装置において、
前記商品見本の前記下方挿入部および前記底板部は前面に向かって凸の略半円形状であり、
前記装着孔は前面に向かって凸の略半円形状であることを特徴とする自動販売機の商品見本展示装置。
【請求項４】
請求項２または３に記載の自動販売機の商品見本展示装置において、
前記商品見本は、前記装着孔よりも上方の非挿入部が前記下方挿入部よりも大きく形成され、
前記下方挿入部と前記非挿入部との段差面が、前記支持プレートにおける前記装着孔の周縁近傍に当接して載置されることを特徴とする自動販売機の商品見本展示装置。
【請求項５】
請求項１〜４のいずれか１項に記載の自動販売機の商品見本展示装置において、
前記上係止片は、前記底板部における上面に弾性的に当接し、前記下係止片は、前記底板部における下面に弾性的に当接し、
前記上係止片の先端は斜め上方を指向し、前記下係止片の先端は斜め下方を指向し、
前記上係止片または前記下係止片の少なくとも一方は複数設けられて、他方の少なくとも１つを挟む位置に設けられていることを特徴とする自動販売機の商品見本展示装置。
【請求項６】
請求項１〜５のいずれか１項に記載の自動販売機の商品見本展示装置において、
前記下係止片は前記底板部の下面に対して面接触して前記商品見本を支持することを特徴とする自動販売機の商品見本展示装置。
【請求項７】
請求項１〜６のいずれか１項に記載の自動販売機の商品見本展示装置において、
前記上係止片および前記下係止片のうち両端のものは最も短く、
前記上係止片および前記下係止片のうち最も長いものは、前記装着孔の平面視範囲内で中央よりも前方まで突出していることを特徴とする自動販売機の商品見本展示装置。
【請求項８】
請求項１〜７のいずれか１項に記載の自動販売機の商品見本展示装置において、
前記商品見本は、上部が後方に傾くように斜めに保持されることを特徴とする自動販売機の商品見本展示装置。
【請求項９】
請求項１〜８のいずれか１項に記載の自動販売機の商品見本展示装置において、
前記底板部は支持プレートと同じレベルに配置されることを特徴とする自動販売機の商品見本展示装置。
【請求項１０】
請求項１〜９のいずれか１項に記載の自動販売機の商品見本展示装置において、
前記上係止片は少なくとも２つ設けられ、このうち両端の２つが前記商品見本の内側に入り、前記商品見本の左右の内面に当接することにより、左右方向の位置決めをすることを特徴とする自動販売機の商品見本展示装置。
【発明の詳細な説明】
【技術分野】
【０００１】
本発明は、自動販売機に商品見本を展示するための装置に関するものである。
【背景技術】
【０００２】
瓶、缶、ボトル等の容器に入った商品を販売する自動販売機では、機器筐体の前面にディスプレイ室が設けられている。ディスプレイ室は、商品見本を展示することによって商品の販売促進を図るものである。商品見本としては、販売商品と同等の外形形状を有した樹脂製のもので、特に、前後に２分割した場合の前半部分のみから成り、後面が開口したものが多く適用されている。商品見本の下端面には、装着部が設けられている。装着部は、商品見本の下端部よりも一段外径が小さく、かつ下端の開口が底板部によって覆われた略半円筒状に構成されている。
【０００３】
一方、商品見本を展示するディスプレイ室には、ディスプレイ台が設けられている。ディスプレイ台は、装着部を介して商品見本を保持するもので、装着孔及び係止片を有している。装着孔は、商品見本の装着部が装着される部分であり、装着部の外径よりもわずかに大きな内径を有する丸孔に構成されている。係止片は、装着孔の後方側に位置する周縁部から前方に向けて突出した幅の小さい板状部分である。
【０００４】
このディスプレイ台に対しては、商品見本の底板部が係止片よりも下方に位置した状態で装着部を装着孔に挿入すれば、ディスプレイ台の上面に商品見本が立った姿勢で保持されることになる。通常、ディスプレイ台には、複数の装着孔が横一列に設けられており、ディスプレイ室に複数の商品見本を整列した状態で展示することが可能である（例えば、特許文献１参照）。
【先行技術文献】
【特許文献】
【０００５】
【特許文献１】特開２０１７−７３０２５号公報
【発明の概要】
【発明が解決しようとする課題】
【０００６】
上記の特許文献１に記載のディスプレイ装置では、中央部に設けられた１本の係止片が商品見本の底板部上面に弾性的に当接して保持するが、底板部下面が当接するのは固定板である。そのため商品見本を取り付ける際の自由度が小さく、１本の係止片を相当に大きく変形させなければならず、着脱しづらい。また、着脱回数が多くなると１本の係止片の変形による負担も大きくなり、保持力の低下が懸念される。
【０００７】
本発明は、上記の課題に鑑みてなされたものであって、着脱性と保持力を確保することのできる自動販売機の商品見本展示装置を提供することを目的とする。
【課題を解決するための手段】
【０００８】
上述した課題を解決し、目的を達成するために、本発明にかかる自動販売機の商品見本展示装置は、後面下方部が開口し下端が底板部によって覆われた商品見本を保持対象とするディスプレイ台を備えた自動販売機の商品見本展示装置において、前記ディスプレイ台は、略水平に配置される支持プレートと、前記支持プレートに設けられて前記底板部が配置される装着孔と、前記装着孔の平面視範囲内で前方に向かってそれぞれ突出し、前記底板部における上面に当接する上係止片および下面に当接する下係止片と、を有し、前記上係止片と前記下係止片は、前記底板部を挟む位置に設けられており、それぞれ弾性を有することを特徴とする。
【０００９】
前記装着孔には、前記底板部を含む前記商品見本の下方挿入部が挿入されてもよい。
【００１０】
前記商品見本の前記下方挿入部および前記底板部は前面に向かって凸の略半円形状であり、前記装着孔は前面に向かって凸の略半円形状であってもよい。
【００１１】
前記商品見本は、前記装着孔よりも上方の非挿入部が前記下方挿入部よりも大きく形成され、前記下方挿入部と前記非挿入部との段差面が、前記支持プレートにおける前記装着孔の周縁近傍に当接して載置されてもよい。
【００１２】
前記上係止片は、前記底板部における上面に弾性的に当接し、前記下係止片は、前記底板部における下面に弾性的に当接し、前記上係止片の先端は斜め上方を指向し、前記下係止片の先端は斜め下方を指向し、前記上係止片または前記下係止片の少なくとも一方は複数設けられて、他方の少なくとも１つを挟む位置に設けられていてもよい。
【００１３】
前記下係止片は前記底板部の下面に対して面接触して前記商品見本を支持してもよい。
【００１４】
前記上係止片および前記下係止片のうち両端のものは最も短く、前記上係止片および前記下係止片のうち最も長いものは、前記装着孔の平面視範囲内で中央よりも前方まで突出していてもよい。
【００１５】
前記商品見本は、上部が後方に傾くように斜めに保持されていてもよい。
【００１６】
前記底板部は支持プレートと同じレベルに配置されていてもよい。
【００１７】
前記上係止片は少なくとも２つ設けられ、このうち両端の２つが前記商品見本の内側に入り、前記商品見本の左右の内面に当接することにより、左右方向の位置決めをしてもよい。
【発明の効果】
【００１８】
本発明にかかる自動販売機の商品見本展示装置では、商品見本の底板部が上係止片と下係止片とによって案内され挟持されることから、着脱性と保持力を確保することができる。
【図面の簡単な説明】
【００１９】
【図１】図１は、本実施の形態にかかる自動販売機の展示装置を示す斜視図である。
【図２】図２は、自動販売機におけるディスプレイ室の内部構成要素を示す斜視図である。
【図３】図３は、ハーフタイプの商品見本を示す図であり、（ａ）は斜め後方から見た斜視図であり、（ｂ）は斜め前方から見た斜視図である。
【図４】図４は、ディスプレイ室の断面側面図である。
【図５】図５は、ディスプレイ室の一部拡大断面側面図である。
【図６】図６は、ディスプレイ台および商品見本を斜め前方から見た斜視図である。
【図７】図７は、ディスプレイ台および商品見本を斜め後方から見た斜視図である。
【図８】図８は、ディスプレイ台の一部拡大斜視図である。
【図９】図９は、ディスプレイ台および商品見本の一部拡大断面側面図である。
【図１０】図１０は、第１の変形例にかかる装着孔の一部断面斜視図である。
【図１１】図１１は、第２の変形例にかかる装着孔の一部断面斜視図である。
【発明を実施するための形態】
【００２０】
以下、添付図面を参照しながら本発明に係る自動販売機の商品見本展示装置の好適な実施の形態について詳細に説明する。
【００２１】
図１は、本発明の実施の形態である商品見本展示装置を適用した自動販売機を示すものである。ここで例示する自動販売機は、瓶、缶、ボトル等の主に円筒状容器に入った飲料を商品として販売するもので、商品を収納する機器筐体１の前面に前面扉２を備えている。前面扉２は、一方の側縁部を介して機器筐体１に支持させたもので、機器筐体１の前面開口（図示せず）を開閉することが可能である。この前面扉２には、ディスプレイ室３が設けてある。ディスプレイ室３は、その内部に複数の商品見本１０を展示するためのもので、前面が開口した矩形状に構成してある。ディスプレイ室３の前面開口は、透明の樹脂パネル４によって覆われており、外部からの異物の侵入が阻止されている一方、樹脂パネル４を介して内部を視認することは可能である。また、樹脂パネル４には、商品見本１０のそれぞれに対応してボタンスイッチ５が設けてある。この自動販売機では、商品見本１０によって購入商品を選択することができ、対応するボタンスイッチ５を押すことによって選択商品の購入が可能となる。ディスプレイ室３には、背面板６の前面にディスプレイ台７が設けてある。
【００２２】
図２に示すように、ディスプレイ台７は複数の商品見本１０を左右方向に沿って整列した状態で保持するものである。図示の例では、背面板６の前面に３段のディスプレイ台７が等間隔となるように設けてある。各段のディスプレイ台７は、それぞれ１２本の商品見本１０を保持することができるように背面板６のほぼ全幅にわたって水平に設けてある。これらのディスプレイ台７は、両端を揃えた状態で背面板６に配設してある。なお、ディスプレイ室３に設けるディスプレイ台７の数や、ディスプレイ台７に保持することができる商品見本１０の数は必ずしも上述のものに限らない。
【００２３】
図３に示すように、商品見本１０は、販売商品と同等の外形形状を前後に２分割した場合の前半部分のみから成り、後面が開口したハーフタイプのものである。商品見本１０は後面の全体が開口しているが、少なくとも後面下方部が開口していればよい。商品見本１０は樹脂製であって可撓性があり、かつ軽量である。商品見本１０は大部を占めている商品形状部（非挿入部）１１と、その下面から下方にやや突出した装着部（下方挿入部）１２とを有する。装着部１２の下端は底板部１３によって覆われている。商品見本１０は全体として前方に向けて凸の略半円筒状の部分であるが、より正確には半円よりも長い周面を有し、中心点からの角度θは例えば２００°程度になっている。これにより斜め側方からの視認性が向上している。もちろん、角度θは２００°に限らず１８０°程度でもよい。ディスプレイ台７における商品見本１０の相互間隔は小さく設定されており（図２参照）、該商品見本１０の後側に開口が設けられていることはほとんど視認されない。
【００２４】
商品形状部１１は、装着部１２の外径よりもやや大きな外形寸法に構成してあり、装着部１２との段差面において装着部１２の周囲であって、後縁を除く部位に当接面１１ａを有している。商品形状部１１は、購買者が対象となる商品を認識することができるようにその形状、大きさ、模様、色彩を模している。この色彩は適度な透光性を有している。商品形状部１１は必ずしも対象商品と完全同一形状である必要はなく、例えば、キャップから肩部に相当する部分の周囲に補強羽根が設けられていてもよいし、模式の載置台が付加されていてもよいし、販促用ラベルが付加されていてもよい。
【００２５】
図４に示すように、３段のディスプレイ台７は上下に並んで設けられており、ディスプレイ台７の装着孔１４には商品見本１０が保持されている。装着孔１４は商品見本１０と同数だけ設けられており、その下部にはそれぞれ光源８が設けられている。光源８は装着孔１４を通して商品見本１０を内部から効果的に照明して視認性を向上させることができる。光源８はボタンスイッチ５の裏側に配置されており、購買者からは視認されない。ディスプレイ台７は、略半円形状の商品見本１０に合わせて前後方向幅が短く設定されており、これによりディスプレイ室３および前面扉２も狭幅となっている。
【００２６】
図５に示すように、ディスプレイ台７は背面板６に対してやや傾斜して取り付けられている。これにより、商品見本１０は上部が後方に傾くようにやや斜めに保持される。この傾斜角は、例えば２°〜４°程度であり、狭幅のディスプレイ室３に収まるようになっている。
【００２７】
図６および図７に示すように、１２個の商品見本１０は互いに狭い隙間間隔をもってディスプレイ台７のほぼ全幅に亘って並列している。ディスプレイ台７は、横方向に長尺で前後方向には適度に狭い支持プレート１５がベースとなっている。支持プレート１５は、商品見本１０を保持するように並列する１２個の装着孔１４と、これらの装着孔１４相互間のやや前方に設けられた抜き孔１６とを有する。支持プレート１５の前端の極短い部分は下方に折り曲げられて前面板部１７を形成し、両側端の短い部分は下方に直角に折り曲げられて側面板部１８を形成している。前面板部１７および側面板部１８は支持プレート１５の前端および両端の強度を確保している。
【００２８】
図８に示すように、支持プレート１５の後端の適度な幅の部分は上方に折り曲げられて後面板部１９を形成している。支持プレート１５の平面部のうち後面板部１９に接する部分には略矩形の切欠き２０および切欠き２１が設けられている。切欠き２０で囲まれた切り出片２２は後面板部１９とともに平面を形成し、後面板部１９が上方に突出するのに対して切り出片２２は下方に突出する。切欠き２０および切り出片２２は、各装着孔１４相互間の後方に１１個設けられている。図８ではこのうち３つを示す。切欠き２１で囲まれたハンガー２３（図７も参照）は後面板部１９の屈曲にともなって下方を指向するが、後面板部１９よりもわずかに後側に突出するように形成されており、さらに下端部はやや斜め後ろに向かって曲げられている。ハンガー２３はディスプレイ台７の両端近傍にそれぞれ設けられている。図８ではこのうち片側だけを示す。
【００２９】
ディスプレイ台７は２つのハンガー２３が背面板６のハンガー孔６ａ（図９参照）に挿通することによって固定されるとともに着脱が自在となっている。また、ディスプレイ台７は後面板部１９および切り出片２２が背面板６に当接することによって安定する。なお、後面板部１９の支持プレート１５に対する角度は直角ではなく、例えば８６〜８８°であり、これにより支持プレート１５および商品見本１０をやや斜めに配置させる（図５参照）。さらに、側面板部１８の後辺１８ａも支持プレート１５がこの角度となるように背面板６に当接し支持している。
【００３０】
装着孔１４は商品見本１０の装着部１２が配置されて挿入・装着される部分であり、前面に向かって凸の略半円形状となっている。装着孔１４が半円形状であることからディスプレイ台７の前後方向幅も短く設定可能となっている。装着孔１４の形状は、装着部１２がちょうど嵌合できるように、該装着部１２よりもわずかに大きく形成されている。装着孔１４の後直線部１４ａは、支持プレート１５における前後方向略中間に沿っている。装着孔１４は、図３に示した商品見本１０以外の商品見本を装着することも可能なように、円弧周面１４ｂにおいていくつかの窪み１４ｃが形成されている。
【００３１】
装着孔１４はさらに、後直線部１４ａから下方に突出する縦段差部２４と、該縦段差部２４の下端中央から前方に向かって突出する上係止片２５と、縦段差部２４の下端から上係止片２５を挟んだ両側から前方に向かって突出する一対の下係止片２６とを有する。縦段差部２４、上係止片２５および下係止片２６は装着孔１４を形成する孔部の一部を切り起こして形成することができる。縦段差部２４における支持プレート１５の上面からの深さは、装着部１２の高さに合わせてある。上係止片２５および下係止片２６はそれぞれ板状であって上下方向に適度な弾性を有する。上係止片２５と一対の下係止片２６はそれぞれ後端横幅がほぼ等しい。右側の下係止片２６の右端は後直線部１４ａの右端に近く、左側の下係止片２６の左端は後直線部１４ａの左端に近い。上係止片２５と下係止片２６との隙間は狭い。
【００３２】
上係止片２５は、縦段差部２４につながる上水平部２５ａと、該上水平部２５ａからさらに突出して斜め上方を指向する上先端部２５ｂとを有する。上水平部２５ａは装着孔１４における前後方向幅の略半分まで達しており、上先端部２５ｂはそこからさらに斜め上方に突出している。上先端部２５ｂは先端が丸まっており略半円形状である。上係止片２５は全体として装着孔１４の平面視範囲内で前方に向かって突出し、中央よりも前方まで突出している。上先端部２５ｂの頂部と円弧周面１４ｂの頂部との間には適度な間隔が確保されている。
【００３３】
下係止片２６は、縦段差部２４につながる下水平部２６ａと、該下水平部２６ａからさらに突出して斜め下方を指向する下先端部２６ｂとを有する。右側の下水平部２６ａにおける右辺は円弧周面１４ｂに略沿った直線で、左側の下水平部２６ａにおける左辺は円弧周面１４ｂに略沿った直線となっている。下先端部２６ｂは先端が丸まっている。下係止片２６は上係止片２５よりも突出量が小さい。上先端部２５ｂおよび下先端部２６ｂの傾斜角度は、例えば２５〜３５°程度が好適である。
【００３４】
図９に示すように、下係止片２６の下水平部２６ａは、上係止片２５の上水平部２５ａよりも僅かに下に設けられている。この差は底板部１３の厚みに合わせてある。これにより、上係止片２５と下係止片２６は底板部１３を上下に挟む位置となる。
【００３５】
商品見本１０を装着孔１４に装着する際には、該商品見本１０を適度に後方に傾けながら可撓性を利用しつつ、装着部１２を斜め上方から装着孔１４に向かって差し込む。このとき、底板部１３は上係止片２５の上先端部２５ｂと略平行な向きで装着孔１４に進入し、やがて下先端部２６ｂに当接する。装着部１２をさらに進入させると、底板部１３によって上係止片２５は上方に、下係止片２６は下方にそれぞれ弾性的に変位させられてその間が上下に広がる。また底板部１３は下先端部２６ｂの傾斜によって次第に水平となるようにガイドされる。このとき、上係止片２５と下係止片２６の両方が弾性的に変位するため、底板部１３が進入するのに十分な間口が形成される。またいずれか一方が変位するのではないため個別の弾性変形量は小さくて足り、負担が少なく、商品見本１０の着脱回数が増えても保持力が低下することがない。
【００３６】
やがて、底板部１３が水平となってその端部が縦段差部２４またはその近傍にまで到達すると、上係止片２５および下係止片２６は元の位置にほぼ戻り、上水平部２５ａは底板部１３における上面に弾性的に面接触し、下水平部２６ａは下面に弾性的に面接触する。比較的長い上係止片２５は底板部１３の上面中央を弾性的に押圧し、比較的短い下係止片２６は上係止片２５を挟む両側から左右下面を弾性的に面接触して押圧し、底板部１３はバランスよく弾性的に挟持されて安定する。商品見本１０を抜き取る際はこれと反対の作業をすればよい。なお、上係止片２５の接触態様が線接触または点接触であっても、少なくとも下水平部２６ａが底板部１３に面接触していれば商品見本１０は相応な安定が得られる。商品見本１０の装着後は、上水平部２５ａおよび下水平部２６ａは底板部１３の上面および下面に接触していればよく、条件によってはほとんど弾性変形のない状態で接触していてもよい。
【００３７】
さらに、底板部１３が上係止片２５および下係止片２６によって保持されると、商品見本１０の当接面１１ａが支持プレート１５の上面における装着孔１４の周縁近傍に当接して載置され、一層の安定が得られる。さらにまた、装着部１２は装着孔１４の円弧周面１４ｂに当接し嵌合するので、商品見本１０は前後左右方向についても安定して載置される。また、商品見本１０は上部が後方に傾くように斜めに保持されることから（図５参照）、何らかの振動が発生した場合においても、底板部１３が上係止片２５と下係止片２６との保持から抜ける懸念がない。商品見本１０を保持する装着孔１４、上係止片２５および下係止片２６は簡易構造である。また、これらは単体のディスプレイ台７に形成可能であり、部品点数が少ない。
【００３８】
上述したように、底板部１３は上係止片２５と下係止片２６とによって挟持されるとともに、当接面１１ａが支持プレート１５に載置されることから十分な保持力が確保される。また、底板部１３は上係止片２５の上先端部２５ｂと下係止片２６の下先端部２６ｂとによってガイドされることから着脱性に優れる。さらに、上係止片２５と下係止片２６とによって取り付け方が規制されることになり、作業員によるばらつきのない安定した保持が可能となる。すなわち、商品見本１０を装着孔１４に装着する際の撓ませる量や挿入方向の違いによらず、装着部１２および底板部１３の進入方向および位置が正しく規制・案内されて正しい位置にセットすることができる。
【００３９】
図１０は、第１の変形例にかかる装着孔３０を示す一部断面斜視図である。装着孔３０は上記の装着孔１４の変形例である。装着孔３０は装着孔１４と同様の略半円形状である。装着孔３０は３本の上係止片３１と、２本の下係止片３２とを有する。上係止片３１は上記の上係止片２５に相当し、縦段差部２４から突出する上水平部３１ａと、該上水平部３１ａの先の上先端部３１ｂとを有する。下係止片３２は上記の下係止片２６に相当し、縦段差部２４から突出する下水平部３２ａと、該下水平部３２ａの先の下先端部３２ｂとを有する。上係止片３１および下係止片３２はそれぞれ上下方向に弾性を有する。上先端部３１ｂは斜め上方を指向し、下先端部３２ｂは斜め下を指向している。上係止片３１と下係止片３２は交互に配置されている。左右両端の上係止片３１は短く、中央の上係止片３１は長く設定されている。下係止片３２はその中間長さである。
【００４０】
このような装着孔３０においても上記の装着孔１４と同様の効果が得られる。すなわち、上係止片２５，３１または下係止片２６，３２の少なくとも一方は複数設けられて、他方の少なくとも１つを挟む位置に設けられているとよい。また、上係止片２５，３１および下係止片２６，３２のうち両端のものは最も短く、中央部で最も長いものが装着孔１４，３０の平面視範囲内で中央よりも前方まで突出していると、底板部１３を保持しやすい。
【００４１】
図１１は、第２の変形例にかかる装着孔４０を示す一部断面斜視図である。装着孔４０は上記の装着孔１４の変形例である。装着孔４０は装着孔１４と同様の略半円形状であるが、縦段差部２４が省略されている。装着孔４０は２本の上係止片4１と、１本の下係止片4２とを有する。上係止片４１は上記の上係止片２５に相当し、半円の後直線部４０ａから突出する上水平部４１ａと、該上水平部４１ａの先の上先端部４１ｂとを有する。下係止片４２は上記の下係止片２６に相当し、後直線部４０ａから突出する下水平部４２ａと、該下水平部４２ａの先の下先端部４２ｂとを有する。上係止片４１および下係止片４２はそれぞれ上下方向に弾性を有する。
【００４２】
後直線部４０ａは特に視認されるものではないが、上記の後直線部１４ａに相当する部分である。上先端部４１ｂは斜め上方を指向し、下先端部４２ｂは斜め下を指向している。上係止片４１と下係止片４２は交互に配置されている。左右両端の上係止片４１は上記の下係止片２６とほぼ同じ長さであり、中央の下係止片４２は上記の上係止片２５とほぼ同じ長さである。上係止片４１と下係止片４２とは底板部１３の厚みに合わせて僅かに上下にずらして設けてもよい。
【００４３】
このような装着孔４０に配置される商品見本１０の底板部１３は装着孔４０に挿入されない状態で上係止片４１と下係止片４２とによって挟持・保持され、上記の装着孔１４と同様の効果が得られる。底板部１３は支持プレート１５の上面と同じレベルに配置されてその重量は下係止片４２によって支持されることになるが、装着孔４０の円弧縁４０ｂによって補助的に支持してもよい。他方、装着孔４０は底板部１３よりもわずかに大径に設定されていてもよい。
【００４４】
また、一対の上係止片４１は商品見本１０の内側に入り込み左右の内面に軽く当接することにより、該商品見本１０の左右方向の位置決めがなされる。商品見本１０は、底板部１３の直線状端部が後直線部４０ａにまで入り込むことにより前後方向の位置決めがなされる。装着孔４０では底板部１３が支持プレート１５と同じレベルに配置され、その内部に挿入する必要がなくほぼ前後の移動だけで済み、着脱を一層迅速に行うことができる。商品見本１０の着脱が前後方向の動作によって行われる場合であっても、上係止片４１と下係止片４２との双方に弾性があることにより着脱しやすくなる。また、上係止片４１と下係止片４２との双方の弾性により多少斜めに着脱することも可能であり、着脱の自由度が大きい。
【００４５】
装着孔４０に配置される商品見本１０は上記の装着部１２および当接面１１ａが省略されていてもよい。装着孔４０では、縦段差部２４が省略されていることから、上係止片４１および下係止片４２を適度に長く切り出すことができる。
【００４６】
本発明は、上記した実施形態に限定されるものではなく、本発明の主旨を逸脱しない範囲で自由に変更できることは勿論である。
【符号の説明】
【００４７】
３  ディスプレイ室
６  背面板
７  ディスプレイ台
１０  商品見本
１１  商品形状部（非挿入部）
１１ａ  当接面（段差面）
１２  装着部（下方挿入部）
１３  底板部
１４，３０，４０  装着孔
１５  支持プレート
２４  縦段差部
２５，３１，４１  上係止片
２５ａ，３１ａ，４１ａ  上水平部
２５ｂ，３１ｂ，４１ｂ  上先端部
２６，３２，４２  下係止片
２６ａ，３２ａ，４２ａ  下水平部
２６ｂ，３２ｂ，４２ｂ  下先端部
【図１】
2020024616.tif 000003
【図２】
2020024616.tif 000004
【図３】
2020024616.tif 000005
【図４】
2020024616.tif 000006
【図５】
2020024616.tif 000007
【図６】
2020024616.tif 000008
【図７】
2020024616.tif 000009
【図８】
2020024616.tif 000010
【図９】
2020024616.tif 000011
【図１０】
2020024616.tif 000012
【図１１】
2020024616.tif 000013